(57)【要約】【課題】自装置のアンプやスピーカ等の電気回路や音響部材の劣化を自動で調べ、劣化を警告することができるカラオケ装置を提供する。【解決手段】カラオケ装置１は、測定音４２を再生してから、測定音４２をアンプ１６やスピーカ３等の信号処理系から放音し、マイク２で収音して、測定音４２の歪率を測定する。また、測定音４２の歪率は、測定音４２の基音、２倍音及び３倍音等の高調波成分に基づいて、公知の方法を用いて測定される。この測定音４２は、正弦波の音声信号で構成される。カラオケ装置１は、この測定音４２の歪率が基準値を超えると、アンプ１６やスピーカ３等の電気回路や音響部材が劣化しているとみなして、カラオケ店の店主やサービスマンにその旨を警告する。【選択図】図１
2008292613.tif 000002
【特許請求の範囲】
【請求項１】
歌唱者の歌唱音声を含む周囲からの音声をマイクで収音し、音声信号を生成する収音手段と、
前記収音手段が生成した音声信号とともに、カラオケ曲を放音する放音手段と、
前記放音手段を含む信号処理系の劣化を調べるための測定音を入力する入力手段と、
前記入力手段に入力されてから前記放音手段からの放音を経て前記収音手段に収音されるまでの測定音の歪率を測定する歪率測定手段と、
前記歪率測定手段が測定した歪率が基準値を超えると、警告を出力する出力手段と、
を備えるカラオケ装置。
【請求項２】
前記歪率測定手段は、カラオケ曲を構成する楽器音の周波数成分で、且つボーカル帯域を除く周波数帯域の周波数成分を測定音として、歪率を測定する請求項１に記載のカラオケ装置。
【請求項３】
前記収音手段は、歌唱者の歌唱音声を含む周囲からの音声を収音する第１のマイクと、カラオケ装置の電源がＯＮ状態のときに収音可能な第２のマイクと、を備え、
前記歪率測定手段は、前記収音手段の第２のマイクが収音した測定音の歪率を測定する請求項１又は請求項２に記載のカラオケ装置。
【発明の詳細な説明】
【技術分野】
【０００１】
この発明は、装置の劣化、特に放音手段を含む音響部材・電気回路の劣化を通知するカラオケ装置に関する。
【背景技術】
【０００２】
従来、スナックやカラオケ店等に設置されるカラオケ装置の劣化調査や修復等の各種メンテナンスは、カラオケ店の店主からの依頼を受け、サービスセンターのサービスマンが行っている。このメンテナンスにかかる費用を削減するために、カラオケ装置の劣化を防ぐ手段が各種考案されている（例えば、特許文献１）。
【０００３】
特許文献１のカラオケ装置は、画面を切り替えることで表示画面の劣化を防いでいる。しかしながら、これは、表示画面の劣化を遅らせるものであり、表面画面が劣化してもその旨を知らせることはできない。また、スピーカ等が劣化してもその旨を通知することができない。カラオケ店の店主は、利用者からのクレームがくるまで、装置の異常に気付かず、カラオケ店の評判を落とす可能性があった。
【特許文献１】特開平０９−２４７６２８号公報
【発明の開示】
【発明が解決しようとする課題】
【０００４】
そこで、この発明は、スピーカやアンプ等が劣化して音が歪んだり、音が出なくなったりすると、その旨を自動で通知するカラオケ装置を提供することにある。
【課題を解決するための手段】
【０００５】
この発明のカラオケ装置は、歌唱者の歌唱音声を含む周囲からの音声をマイクで収音し、音声信号を生成する収音手段と、前記収音手段が生成した音声信号とともに、カラオケ曲を放音する放音手段と、前記放音手段を含む信号処理系の劣化を調べるための測定音を入力する入力手段と、前記入力手段に入力されてから前記放音手段からの放音を経て前記収音手段に収音されるまでの測定音の歪率を測定する歪率測定手段と、前記歪率測定手段が測定した歪率が基準値を超えると、警告を出力する出力手段と、を備えることを特徴とする。
【０００６】
この構成では、カラオケ装置は、歌唱者の歌唱音声等をマイクで収音し、収音した歌唱音声の音声信号とともに、カラオケの楽曲音を放音する。また、カラオケ装置には、アンプやスピーカ等の電気回路や音響部材の劣化を調べるための測定音が入力される。この測定音は、入力されると、スピーカから放音され、マイクにて収音される。カラオケ装置は、測定音の歪率が基準値を超えると、警告を出力する。測定音の歪率が基準値を超えるということは、アンプやスピーカ等の電気回路や音響部材が劣化していることを意味する。この警告は、カラオケ店内やサービスセンターに通知され、カラオケ店の店主やサービスセンターのサービスマンは、アンプやスピーカ等の電気回路や音響部材の劣化を知ることができる。このため、店主やサービスマンが手動でアンプやスピーカ等の電気回路や音響部材の劣化を調べなくてもよいので、カラオケ装置のメンテナンスに係る費用を削減することができる。
【０００７】
また、カラオケ装置が自動でアンプやスピーカ等の電気回路や音響部材の劣化を調べることで、カラオケ店の店主は、随時アンプやスピーカ等の電気回路や音響部材の劣化を把握することができ、利用者からのクレームが発生する前に、アンプやスピーカ等の電気回路や音響部材のメンテナンスを行うことができる。
【０００８】
また、この発明のカラオケ装置は、前記歪率測定手段は、カラオケ曲を構成する楽器音の周波数成分で、且つボーカル帯域を除く周波数帯域の周波数成分を測定音として、歪率を測定することを特徴とする。
【０００９】
この構成では、カラオケ装置は、カラオケ曲の演奏中に、カラオケ曲のオーディオ信号を測定音として、アンプやスピーカ等の電気回路や音響部材の劣化を調べる。これにより、カラオケ装置は、測定音を用意する必要がなく、カラオケ曲が演奏される都度、アンプやスピーカ等の電気回路や音響部材の劣化を調べることができる。
【００１０】
更に、前記収音手段は、歌唱者の歌唱音声を含む周囲からの音声を収音する第１のマイクと、カラオケ装置の電源がＯＮ状態のときに収音可能な第２のマイクと、を備え、前記歪率測定手段は、前記収音手段の第２のマイクが収音した測定音の歪率を測定することを特徴とする。
【００１１】
この構成では、カラオケ装置は、歌唱者の歌唱音声を収音する歌唱用マイク（第１のマイク）と、カラオケ装置の電源がＯＮ状態のとき自動的にスイッチがＯＮされる測定用マイク（第２のマイク）とを備え、測定音の収音に測定用マイクを用いる。これにより、カラオケ装置は、自装置の電源がＯＮの状態であれば、歌唱用マイクのスイッチがＯＮされていなくても、測定用マイクで収音して、測定音の歪率を測定することができる。例えば、カラオケ装置の電源のＯＮ／ＯＦＦに連動して測定したり、カラオケ店の開店前や閉店後の定められた時間に測定したりすることができるので、定期的にカラオケ装置のアンプやスピーカ等の電気回路や音響部材の劣化を調べることができる。
【発明の効果】
【００１２】
本発明によれば、カラオケ装置は、自装置のアンプやスピーカ等の電気回路や音響部材を経由してから放音した測定音を収音することで、カラオケ装置の電気回路や音響部材の歪率を自動で測定する。これにより、カラオケ装置は、自装置のアンプやスピーカ等の電気回路や音響部材の劣化を自動で調べることができる。また、カラオケ装置は、アンプやスピーカ等の電気回路や音響部材が劣化すると、警告することができる。
【発明を実施するための最良の形態】
【００１３】
本発明に係るカラオケ装置は、測定音を再生してアンプやスピーカ等から放音し、マイクで収音するまでに生じる測定音の歪率を測定する。この測定音は、正弦波の音声信号で構成される。また、測定音の歪率は、測定音の基音と２倍音及び３倍音等の高調波とに基づいて、公知の方法を用いて測定される。カラオケ装置は、この測定音の歪率が基準値を超えると、アンプやスピーカ等が劣化しているとみなして、カラオケ店の店主やサービスマンにその旨を通知する。これにより、カラオケ装置が自動でアンプやスピーカ等の劣化を調べることができるので、サービスマンが手動でアンプやスピーカ等の劣化を調査する必要がない。このため、カラオケ装置のメンテナンスにかかる費用を大幅に削減することができる。また、カラオケ店の店主は、カラオケ装置のアンプやスピーカ等が劣化し始めたことを知ることができるので、ユーザからクレームを受ける前に対処することができる。
【００１４】
「第１実施形態」
第１実施形態に係るカラオケ装置について、図１〜３を参照して説明する。図１は、カラオケ装置の機能・構成を示すブロック図である。図２は、歪率測定処理の流れを示すフローチャートである。図３は、スピーカの説明図である。第１実施形態に係るカラオケ装置は、測定音を放音してアンプやスピーカ等の劣化を調べた後に、カラオケ曲の演奏を開始する。カラオケ装置は、単一の周波数成分からなる測定音を用いて、アンプやスピーカ等の劣化を調べる。
【００１５】
まず、カラオケ装置１ａの機能・構成について説明する。図１に示すように、カラオケ装置１ａは、操作部１０、制御部１１、ＭＩＤＩ音源１２、ミキサ１４、Ｄ／Ａ変換部１５、ＡＭＰ１６、Ａ／Ｄ変換部１７、フィルタ部１８、歪率測定部１９、通知部２０、マイク２ａ、スピーカ３、及び記憶部４を備える。
【００１６】
カラオケ装置１ａは、動作中に、測定音４２の歪率を求める測定モードと、カラオケ曲４１の演奏を行うカラオケモードとに設定される。カラオケ装置１ａは、マイク２ａのスイッチがＯＮされている可能性が高い、カラオケ曲の演奏直前に測定モードに設定され、測定音４２の歪率を求める。カラオケ装置１ａは、測定音４２の歪率が求まると、カラオケモードに設定され、カラオケ曲４１の演奏を開始する。以下、測定モードとカラオケモードとで処理が異なる場合は、モード毎に説明を記載する。
【００１７】
操作部１０は、歌唱者等の操作入力を受け、操作入力内容を制御部１１へ出力する。例えば、操作部１０は、カラオケ曲４１の選曲やボリュームの選択や、歪率を測定する周波数の指定等を受け付ける。
【００１８】
制御部１１は、操作部１０の操作入力を受け、以下に説明するカラオケ装置１ａの各機能部を制御する。各機能部の制御方法については、後述する。
【００１９】
記憶部４は、カラオケ曲４１のデータ及び単音からなる測定音４２のデータ（例えば、１００Ｈｚ）を記憶する。カラオケ曲４１は、色々な楽器音から構成され、測定音４２は、正弦波の音声信号である。
【００２０】
ＭＩＤＩ音源１２は、制御部１１の指示により、測定モード時には、記憶部４に記憶された測定音４２のデータを取得してオーディオ信号を生成し、カラオケモード時には、記憶部４からカラオケ曲４１のデータを逐次取得してオーディオ信号を生成する。カラオケ曲４１は、測定音４２の歪率の測定後に、再生される。すなわち、この測定音４２は、歌唱者がマイク２ａのスイッチをＯＮしてカラオケを歌唱できる状態になり、カラオケ曲４１の演奏開始前に放音される。これにより、測定音４２をカラオケ曲４１と区別して再生することができる。
【００２１】
ミキサ１４は、測定モード時、ＭＩＤＩ音源１２から入力された測定音４２のオーディオ信号をＤ／Ａ変換部１５に出力する。Ｄ／Ａ変換部１５は、測定音４２のオーディオ信号をデジタルデータからアナログ信号に変換してＡＭＰ１６に出力し、ＡＭＰ１６は、測定音４２のオーディオ信号を増幅してスピーカ３に出力する。スピーカ３は、測定音４２のオーディオ信号を放音する。
【００２２】
ミキサ１４は、カラオケモード時、ＭＩＤＩ音源１２から入力されたカラオケ曲４１のオーディオ信号と、Ａ／Ｄ変換部１７でアナログ信号からデジタルデータに変換された収音音声信号と、に対してミキシングを行い、放音音声信号を生成する。ミキサ１４は、放音音声信号をＤ／Ａ変換部１５に出力し、Ｄ／Ａ変換部１５は、放音音声信号をデジタルデータからアナログ信号に変換してＡＭＰ１６に出力する。ＡＭＰ１６は、放音音声信号を増幅してスピーカ３に出力し、スピーカ３は、放音音声信号を放音する。
【００２３】
マイク２ａは、測定モード時、スピーカ３から放音された測定音４２を収音して、測定音４２のオーディオ信号を生成しＡ／Ｄ変換部１７へ出力する。Ａ／Ｄ変換部１７は、測定音４２のオーディオ信号をアナログ信号からデジタルデータに変換して、フィルタ部１８へ出力する。フィルタ部１８は、測定音４２の歪率の算出に用いる周波数成分である測定音４２の基音と２倍音及び３倍音等の高調波成分と（以下、測定音４２の基音と２倍音及び３倍音等の高調波成分とを歪率算出用周波数成分と称す。）を取得する複数のバンドパスフィルタや、基音の周波数成分のみを取得するバンドパスフィルタやローパスフィルタ及び基音の周波数成分だけを取り除くノッチフィルタ等のフィルタから構成される。フィルタ部１８は、歪率算出用周波数成分だけを通過させ、後述する歪率測定部１９に出力する。
【００２４】
マイク２ａは、カラオケモード時、歌唱者の歌唱音声を収音して、収音音声信号を生成しＡ／Ｄ変換部１７へ出力する。Ａ／Ｄ変換部１７は、収音音声信号をアナログ信号からデジタルデータに変換して、ミキサ１４へ出力する。
【００２５】
歪率測定部１９は、レベル検出部１９１、及び歪率算出部１９２を備える。レベル検出部１９１は、フィルタ部１８から入力される歪率算出用周波数成分のレベルを検出する。レベル検出部１９１は、検出した歪率算出用周波数成分のレベルを歪率算出部１９２へ出力する。歪率算出部１９２は、レベル検出部１９１が検出した歪率算出用周波数成分のレベルを次式に当てはめて歪率を算出する。
【００２６】
歪率＝（２倍音＋３倍音＋・・・＋ｎ倍音）／（基音）＊１００％
また、歪率算出部１９２は、算出した歪率が基準値を超えると、測定結果（測定音４２の周波数及び算出した歪率）を通知部２０へ出力する。この基準値とは、周波数に関係なく同じ値を用いてもよいし、測定音４２の周波数毎に定めてもよい。通常、周波数毎に歪みの発生率が異なるので、周波数毎に基準値を設けることで、より適切な基準値を設けることができる。
【００２７】
通知部２０は、歪率算出部１９２から測定結果が入力されると、測定結果の通知を行う。測定結果の通知方法として、例えば、カラオケ映像を表示するディスプレイに測定結果を表示させる方法や、装置の特定のランプを点灯させる方法や、アラーム音を鳴らす方法がある。また、通知部２０に通信制御部を備えさせ、カラオケ店舗内の特定のパソコンに測定結果を送信させてもよい。これにより、カラオケ店の店主は、測定音４２の歪率が基準値を超えたことを知ることができ、カラオケ装置１ａのアンプ１６やスピーカ３等が劣化していることを知ることができる。この結果、店主は、サービスマンにカラオケ装置１ａのアンプ１６やスピーカ３等のメンテナンスを依頼することができる。
【００２８】
また、通知部２０に通信制御部を備えさせ、ネットワーク等を介して、サービスセンターに測定結果を通知してもよい。これにより、サービスセンターのサービスマンは、測定音４２の歪率が基準値を超えたことを知ることができ、カラオケ装置１ａのアンプ１６やスピーカ３等が劣化していることを知ることができる。この結果、サービスマンは、カラオケ装置１ａのアンプ１６やスピーカ３等のメンテナンスを行うことができる。
【００２９】
次に、測定音４２の歪率測定時の処理の流れについて、図２を参照して説明する。なお、説明の簡単化のため、測定音４２の歪率の測定に関する処理のみを説明する。図２に示すように、マイク２ａのスイッチがＯＮされた後に（Ｓ１０１）、ＭＩＤＩ音源１２は、記憶部４から測定音４２のデータを読み出して再生を開始する（Ｓ１０２）。測定音４２は、ミキサ１４、Ｄ／Ａ変換部１５、及びＡＭＰ１６を介して、スピーカ３から放音される（Ｓ１０３）。
【００３０】
マイク２ａが測定音４２を収音すると（Ｓ１０４）、測定音４２は、Ａ／Ｄ変換部１７及びフィルタ部１８を介することで、歪率算出用周波数成分（測定音４２の基音、２倍音及び３倍音等の高調波成分）のみが歪率測定部１９へ出力される（Ｓ１０５）。
【００３１】
歪率測定部１９は、歪率算出用周波数成分のレベルを測定する（Ｓ１０６）。歪率測定部１９は、歪率算出用周波数成分のレベルに基づいて、測定音４２の歪率を算出する（Ｓ１０７）。
【００３２】
歪率測定部１９は、測定音４２の歪率が基準値を超えるか否かを調べる（Ｓ１０８）。測定音４２の歪率が基準値を超える場合は（Ｓ１０８：Ｙｅｓ）、測定結果を通知して（Ｓ１０９）、カラオケモードへ移行する。測定音４２の歪率が基準値を超えない場合は（Ｓ１０８：Ｎｏ）、通知を行わずに、カラオケモードへ移行する。
【００３３】
以上より、カラオケ装置１aは、測定音４２の歪率が基準値を超えていることを通知することができる。測定音４２の歪率が基準値を超えているということは、カラオケ装置１aのアンプ１６やスピーカ３等が劣化していることを意味する。すなわち、カラオケ装置１aは、自装置のアンプ１６やスピーカ３等の劣化を自動で調べて通知することができる。
【００３４】
また、第１実施形態では、カラオケ曲４１の演奏直前に、測定音４２の歪率を求める。すなわち、マイク２ａのスイッチが入っている可能性が高い時で、且つ歌唱者の歌唱が始まる前に、測定音４２の歪率を求める。これにより、歌唱者の歌唱音声等の影響を受けずに、歪率算出用周波数成分を取得することができ、測定音４２の歪率を正確に求めることができる。また、測定音４２に用いる周波数帯域をカラオケ曲４１の周波数帯域外等に限定する必要がなく、全周波数帯域を利用することができる。
【００３５】
次に、カラオケ装置１ａが備えるスピーカ３がツイータとウーハとを備えるツーウェイスピーカ等である場合について説明する。スピーカ３は、図３に示すように、２つのスピーカユニット３１（３１ａ，３１ｂ）から構成される。この場合は、各スピーカユニット３１ａ，３ａｂが受け持つ帯域内に歪率算出用周波数成分（測定音４２の基音、２倍音及び３倍音等の高調波成分）を持つ周波数成分の測定音４２を用いて歪率の測定を行う。例えば、クロスオーバ周波数が１ｋＨｚのウーハとツイータとからスピーカ３が構成される場合は、ウーハの劣化を調べるために、２００Ｈｚの測定音４２を用い、ツイータの劣化を調べるために、２ｋＨｚの測定音４２を用いることで、３倍高調波までの歪率で診断を行うことができる。このように、クロスオーバ周波数に合わせた適切な周波数成分の測定音４２を用いて歪率を測定することで、どちらのスピーカユニット３１が劣化しているかを調べることができる。
【００３６】
また、通常、スピーカユニット３１の劣化は、周波数帯域全体に同一に生じるのではなく、一部の周波数帯域に顕著に生じる可能性もある。そこで、スピーカユニット３１毎に複数の測定音４２用意して、歪率を測定する。例えば、対応する周波数が５０Ｈｚ〜１ｋＨｚのウーハと１ｋＨｚ〜１６ｋＨｚのツイータからスピーカ３が構成される場合、ウーハの劣化を調べるために、５０Ｈｚ、１００Ｈｚ、２００Ｈｚの複数の測定音４２を用意し、ツイータを調べるために、２ｋＨｚ、３ｋＨｚ、５ｋＨｚの複数の測定音４２を用意して、歪率を測定する。これにより、各スピーカユニット３１の劣化をより的確に判断することができる。
【００３７】
更に、スピーカ３の構造、すなわちスピーカ３を構成するスピーカユニット数等に依らず、複数の測定音４２（１００Ｈｚ、２００Ｈｚ、３００Ｈｚ、５００Ｈｚ、７００Ｈｚ、１ｋＨｚ、２ｋＨｚ、３ｋＨｚ、５ｋＨｚ）を用意し、歪率を測定する。これにより、スピーカ３の全周波数帯域に歪みが発生しているか否かを調べることができ、スピーカ３の劣化をより的確に判断することができる。
【００３８】
このように、複数の測定音４２を用いる場合、カラオケ装置１ａは、カラオケ曲４１の演奏開始前に、複数の測定音４２を順に放音し、歪率を測定する。これにより、一部の周波数帯域に対して顕著に発生する劣化を検出することができる。また、複数の測定音４２を順に放音して歪率を測定すると、時間がかかるので、カラオケ曲４１の演奏前に待ち時間が発生してしまう。そこで、複数の測定音４２の中から１つの測定音４２を適宜選択して、歪率を測定する。この場合、複数のカラオケ曲４１の演奏を行うことで、複数の測定音４２の歪率の測定を行うことができる。これにより、カラオケ曲４１の演奏をスムーズに行いながら、一部の周波数帯域に顕著に発生したスピーカ３の劣化を検出することができる。
【００３９】
更に、通常、測定音４２の歪みは、高調波成分の高次周波数成分より、低次周波数成分の方が顕著に発生する。また、測定音４２の歪みは、測定音４２の偶数倍音のみ、奇数倍音のみ、に多く発生する場合がある。そこで、歪率算出部１９２は、測定音４２の２倍音及び３倍音を検出することで、測定音４２の歪率を簡便に算出することができる。
【００４０】
「第２実施形態」
第２実施形態に係るカラオケ装置１ｂについて、図４〜６を参照して説明する。図４は、カラオケ曲に含まれる測定音の説明図である。図５は、カラオケ装置の機能・構成を示すブロック図である。図６は、歪率測定処理の流れを示すフローチャートである。第２実施形態に係るカラオケ装置１ｂは、カラオケ曲４１のオーディオ信号を測定音４２として用いる点が、第１実施形態に係るカラオケ装置１ａと異なる。
【００４１】
まず、第２実施形態で用いる測定音４２について説明する。測定音４２には、次の条件（Ａ）〜（Ｃ）を満たすカラオケ曲４１のオーディオ信号が適している。
（Ａ）測定音４２は、図４に示すように、カラオケ曲４１の全周波数帯域から、人の音声信号が含まれる周波数帯域（１００Ｈｚ〜３ｋＨｚ）を除く帯域（以下、測定音帯域と称す。）に存在するオーディオ信号である。
（Ｂ）測定音４２は、正弦波に近いオーディオ信号である。
（Ｃ）測定音４２は、歪率の測定に必要な時間の間、音圧が持続するオーディオ信号である。
【００４２】
測定音４２に適したカラオケ曲４１のオーディオ信号は、全てのカラオケ曲４１に存在するのではなく、一部のカラオケ曲４１に存在する。そこで、予め歪率の測定に適したカラオケ曲４１と発生時刻とを記憶しておき、歪率の測定に適したカラオケ曲４１の演奏時は、上述の測定モードとカラオケモードとを同時に実行する。
【００４３】
これにより、カラオケ曲４１の演奏中に、測定音４２の歪率を測定することができ、カラオケ装置１ｂのアンプ１６やスピーカ３等の劣化を調べることができる。なお、以下では、カラオケ装置１ａとの異なる点のみ説明する。
【００４４】
次に、カラオケ装置１ｂの機能・構成について説明する。図５に示すように、カラオケ装置１ｂは、カラオケ装置１ａの機能・構成に加えて、更に、測定音記憶部１１１を備える。
【００４５】
測定音記憶部１１１は、歪率の測定に適したカラオケ曲４１の情報を記憶する。この情報は、対象となる曲名や曲番号等、測定音４２を含む楽器等のパート情報、測定音４２の放音タイミング等である。
【００４６】
具体的には後述するが、制御部１１は、測定音記憶部１１１を参照し、歪率の測定に適したカラオケ曲４１か否かを判断する。歪率の測定に適している場合は、測定音４２に適したオーディオ信号をマイク２ａが収音したタイミングで、該オーディオ信号の歪率を歪率測定部１９に算出させる。
【００４７】
次に、測定音４２に適したカラオケ曲４１のオーディオ信号の歪率測定時の処理の流れについて、図６を参照して説明する。なお、説明の簡単化のため、公知の方法を用いて行うカラオケ曲４１の放音に関する処理は省略し、測定音４２の歪率の測定に関する処理のみを説明する。図６に示すように、図２のステップＳ１０１〜Ｓ１０５の処理が、ステップＳ１１１〜Ｓ１１８の処理に置き換わり、ステップＳ１０９の処理の後に、ステップＳ１２１の処理が追加される。
【００４８】
カラオケ曲４１の選曲が行われると（Ｓ１１１）、制御部１１は、測定音記憶部１１１を参照し、選曲されたカラオケ曲４１が測定音４２を含むか否かを調べる（Ｓ１１２）。測定音４２を含まない場合は（Ｓ１１２：Ｎｏ）、測定音４２の歪率を測定しない通常のカラオケ演奏を行う。すなわち、制御部１１は、通常のカラオケ演奏時には、カラオケモードのみを実行する。
【００４９】
測定音４２を含む場合は（Ｓ１１２：Ｙｅｓ）、マイク２ａのスイッチがＯＮされた後に（Ｓ１１３）、ＭＩＤＩ音源１２は、記憶部４からカラオケ曲４１のデータを読み出して再生する（Ｓ１１４）。カラオケ曲４１は、ＭＩＤＩ音源１２、ミキサ１４、Ｄ／Ａ変換部１５、及びＡＭＰ１６を介して、スピーカ３から放音される（Ｓ１１５）。
【００５０】
マイク２ａが放音されたカラオケ曲４１を収音する（Ｓ１１６）と、制御部１１は、測定音記憶部１１１に記憶している測定音４２のパート情報と放音タイミングとに基づいて、収音したカラオケ曲４１のオーディオ信号が、測定音４２に該当するか否かを調べる（Ｓ１１７）。測定音４２に該当しない場合は（Ｓ１１７：Ｎｏ）、ステップＳ１２１の処理へ進む。測定音４２に該当する場合は（Ｓ１１７：Ｙｅｓ）、制御部１１は、カラオケ曲４１のオーディオ信号をＡ／Ｄ変換部１７及びフィルタ部１８を介して、歪率測定部１９へ出力する。この際、フィルタ部１８は、歪率算出用周波数成分だけを分離して通過させて（Ｓ１１８）、図２の場合と同様に、ステップＳ１０６〜Ｓ１０９の処理を行い、ステップＳ１２１の処理へ進む。
【００５１】
カラオケ曲４１の演奏が終了するまで（Ｓ１２１：Ｎｏ）、ステップＳ１１４〜Ｓ１０９の処理を繰り返し行い、カラオケ曲４１の演奏が終了すると（Ｓ１２１：Ｙｅｓ）、処理を終了する。これにより、カラオケ装置１ｂは、測定音４２として適切なカラオケ曲４１のオーディオ信号の歪率を測定し、自装置のアンプ１６やスピーカ３等が劣化しているか否かの判断を、カラオケ曲４１の演奏中に自動で行うことができる。
【００５２】
「第３実施形態」
第３実施形態に係るカラオケ装置１ｃについて、図７，８を参照して説明する。図７は、カラオケ装置の機能・構成を示すブロック図である。図８は、歪率測定処理の流れを示すフローチャートである。第３実施形態に係るカラオケ装置１ｃは、マイク２ａ，２ｂを２本備える点が第１実施形態に係るカラオケ装置１ａと異なる。なお、以下では、カラオケ装置１ａとの異なる点のみ説明する。
【００５３】
まず、カラオケ装置１ｃの機能・構成について説明する。図７に示すように、カラオケ装置１ｃは、カラオケ装置１ａの機能・構成に加えて、更に、カラオケ装置１ｃの電源がＯＮ状態の時は、常にスイッチがＯＮされているマイク２ｂを備える。このマイク２ｂは、測定音４２を収音するために利用するものであり、歌唱音声を収音してもカラオケ再生には利用しない。これにより、マイク２ｂは、音質等を気にする必要がないので、安価なマイクを用いることができる。
【００５４】
次に、マイクを２本備えた場合の測定音４２の歪率測定時の処理の流れについて、図８を参照して説明する。図７に示すように、図２のステップＳ１０１の処理が、ステップＳ１３１の処理に置き換わる。
【００５５】
カラオケ装置１ｃの電源がＯＮされると（Ｓ１３１）、ステップＳ１０２以降の処理を行う。つまり、第３実施形態では、カラオケ装置１ｃの電源がＯＮされると、カラオケ装置１ｃは測定音４２の歪率を自動で測定する。カラオケ装置１ｃの電源は、カラオケ店の開店時にＯＮされており、測定音４２の歪率の測定時に顧客の話声等の騒音が生じないので、測定音４２の歪率をより正確に測定することができる。また、カラオケ装置１ｃの電源ＯＮは、日々行われるので、アンプ１６やスピーカ３等の劣化を、定期的に調べることができる。
【００５６】
なお、第３実施形態では、カラオケ装置１ｃの電源ＯＮ時に、測定音４２の歪率を測定したが、カラオケ装置１ｃの電源ＯＦＦ処理の中で、測定音４２の歪率を測定してもよい。また、カラオケ店の開店前や閉店後の予め定められた時間に、測定音４２の歪率を測定してもよい。
【００５７】
また、第３実施形態では、単一の周波数成分からなる測定音４２を用いて、歪率を測定した。これに代えて、測定音４２としてカラオケ曲４１のオーディオ信号を用いてもよい。この場合、測定音４２として、正弦波に近いカラオケ曲４１のオーディオ信号で、且つ、歪率の測定に必要な時間の間、音圧が持続するオーディオ信号を用いる。また、第２実施形態と同様の方法で、測定音４２の歪率を測定する。
【００５８】
更に、第１及び第３実施形態では、カラオケ装置１は、単一の周波数成分からなる測定音４２を用いて歪率の測定を行った。しかし、複数の周波数成分から構成された測定音４２を用いて歪率の測定を行ってもよい。この場合、測定音４２の基音、２倍音及び３倍音のそれぞれが重ならない複数の周波数成分から測定音４２を構成する。例えば、３００Ｈｚと７００Ｈｚの周波数成分から構成された測定音４２を用いる。これにより、３００Ｈｚの周波数成分の基音、２倍音、３倍音と、７００Ｈｚの周波数成分の基音、２倍音、３倍音と、を容易に取得することができるので、歪率の測定を容易に行うことができる。
【００５９】
加えて、第１〜第３実施形態では、スピーカ３は、２つのスピーカユニット３１から構成されるが、１つのスピーカユニット３１から構成されてもよいし、３つ以上の複数のスピーカユニット３１から構成されてもよい。
【図面の簡単な説明】
【００６０】
【図１】カラオケ装置の機能・構成を示すブロック図である。
【図２】歪率測定処理の流れを示すフローチャートである。
【図３】スピーカの説明図である。
【図４】カラオケ曲に含まれる測定音の説明図である。
【図５】カラオケ装置の機能・構成を示すブロック図である。
【図６】歪率測定処理の流れを示すフローチャートである。
【図７】カラオケ装置の機能・構成を示すブロック図である。
【図８】歪率測定処理の流れを示すフローチャートである。
【符号の説明】
【００６１】
１（１ａ〜１ｃ）−カラオケ装置、２（２ａ，２ｂ）−マイク、３−スピーカ、４−記憶部、１０−操作部、１１−制御部、１２−ＭＩＤＩ音源、１７−Ａ／Ｄ変換部、１４−ミキサ、１５−Ｄ／Ａ変換部、１６−ＡＭＰ、１８−フィルタ部、１９−歪率測定部、２０−通知部、２１−フィルタ部、３１（３１ａ，３１ｂ）−スピーカユニット、４１−カラオケ曲、４２−測定音、１１１−測定音記憶部、１９１−レベル検出部、１９２−歪率算出部
【図１】
2008292613.tif 000003
【図２】
2008292613.tif 000004
【図３】
2008292613.tif 000005
【図４】
2008292613.tif 000006
【図５】
2008292613.tif 000007
【図６】
2008292613.tif 000008
【図７】
2008292613.tif 000009
【図８】
2008292613.tif 000010